(57)【特許請求の範囲】
【請求項１】
浴槽に湯を供給する給湯手段と、
前記浴槽内の湯水の水位を検出する水位検出手段と、
前記給湯手段から前記浴槽に供給された湯量を検出する湯量検出手段と、
前記給湯手段により前記浴槽に湯を供給して、前記水位検出手段により検出される前記浴槽内の湯水の水位と、前記湯量検出手段により検出される前記浴槽に供給された湯量との対応関係を算出する対応関係算出手段と、
所定の目標湯張り水位と該目標湯張り水位を調節するための水位補正値とに基づいて設定された補正湯張り水位に対応する目標湯張り量を、前記対応関係に基づいて決定する目標湯張り量決定手段と、
前記給湯手段により前記浴槽に前記目標湯張り量の湯を供給する自動湯張り運転を実行する湯張り制御手段と、
前記自動湯張り運転により前記目標湯張り量の湯を前記浴槽に供給したときの前記水位検出手段の検出水位と、前記目標湯張り水位との水位差を減少させるように、前記水位補正値を更新する水位補正値更新手段とを備えた給湯装置であって、
前記浴槽に所定量の湯水を供給する補水運転を行う補水手段と、
前記自動湯張り運転以外の要因による前記浴槽内の湯水の水位の変化を検出する手段であって、前記補水手段により前記補水運転が実行されたときに、前記浴槽内の湯水の水位が前記自動湯張り運転以外の要因により変化したと検出する水位変化検出手段とを備え、
前記水位補正値更新手段は、前記自動湯張り運転の実行中に、前記水位変化検出手段により前記自動湯張り運転以外の要因による前記浴槽内の湯水の水位の変化が検出されたときには、今回の自動湯張り運転における前記水位差に基づく前記水位補正値の更新を行わないことを特徴とする給湯装置。
【請求項２】
浴槽に湯を供給する給湯手段と、
前記浴槽内の湯水の水位を検出する水位検出手段と、
前記給湯手段から前記浴槽に供給された湯量を検出する湯量検出手段と、
前記給湯手段により前記浴槽に湯を供給して、前記水位検出手段により検出される前記浴槽内の湯水の水位と、前記湯量検出手段により検出される前記浴槽に供給された湯量との対応関係を算出する対応関係算出手段と、
所定の目標湯張り水位と該目標湯張り水位を調節するための水位補正値とに基づいて設定された補正湯張り水位に対応する目標湯張り量を、前記対応関係に基づいて決定する目標湯張り量決定手段と、
前記給湯手段により前記浴槽に前記目標湯張り量の湯を供給する自動湯張り運転を実行する湯張り制御手段と、
前記自動湯張り運転により前記目標湯張り量の湯を前記浴槽に供給したときの前記水位検出手段の検出水位と、前記目標湯張り水位との水位差を減少させるように、前記水位補正値を更新する水位補正値更新手段とを備えた給湯装置であって、
前記浴槽内の湯水の減少を検出する減水検出手段と、
前記自動湯張り運転以外の要因による前記浴槽内の湯水の水位の変化を検出する手段であって、前記減水検出手段により前記浴槽内の湯水の減少が検出されたときに、前記浴槽内の湯水の水位が前記自動湯張り運転以外の要因により変化したと検出する水位変化検出手段とを備え、
前記水位補正値更新手段は、前記自動湯張り運転の実行中に、前記水位変化検出手段により前記自動湯張り運転以外の要因による前記浴槽内の湯水の水位の変化が検出されたときには、今回の自動湯張り運転における前記水位差に基づく前記水位補正値の更新を行わないことを特徴とする給湯装置。
【発明の詳細な説明】
【技術分野】
【０００１】
本発明は、自動湯張り機能を有する給湯装置に関する。
【背景技術】
【０００２】
従来、リモコン等により設定された目標湯張り水位になるまで、浴槽に湯を供給する自動湯張り機能を備えた給湯装置が知られている（例えば、特許文献１参照）。特許文献１に記載された給湯装置は、浴槽内の水位を検出する水位センサと、浴槽に供給される湯の流量を検出する流量センサとを備えて、給湯装置の使用開始時からの経年変化等による水位センサの検出誤差に対応するための補正処理を行っている。
【０００３】
具体的には、給湯装置の設置時に行う自動湯張りの試運転時に、浴槽への給湯量（流量センサによる検出流量の積算値）と水位センサの検出水位との対応を学習し、この対応に基づいて、目標湯張り水位の湯張りを行うために必要な給湯量（湯張り量）を決定している。
【０００４】
そして、給湯装置の使用が開始されて自動湯張りが実行されたときに、湯張り完了時の水位センサの検出水位値と目標湯張り水位との水位差に基づく水位補正値を算出し、自動湯張り後の水位制御を、水位センサの検出水位に水位補正値を加えた水位に基づいて行うようにしている。
【先行技術文献】
【特許文献】
【０００５】
【特許文献１】特開２０１０−２７６２５３号公報
【発明の概要】
【発明が解決しようとする課題】
【０００６】
本願発明者らは、自動湯張りが完了した時の水位センサの検出水位と目標湯張り水位との水位差を減少させるように目標湯張り水位の水位補正値を設定したときに、不適切な水位補正値が設定される場合があることを知見した。
【０００７】
本発明はかかる背景に鑑みてなされたものであり、目標湯張り水位に対して不適切な水位補正値が設定されることを防止した給湯装置を提供することを目的とする。
【課題を解決するための手段】
【０００８】
本発明は上記目的を達成するためになされたものであり、本発明の給湯装置は、
浴槽に湯を供給する給湯手段と、
前記浴槽内の湯水の水位を検出する水位検出手段と、
前記給湯手段から前記浴槽に供給された湯量を検出する湯量検出手段と、
前記給湯手段により前記浴槽に湯を供給して、前記水位検出手段により検出される前記浴槽内の湯水の水位と、前記湯量検出手段により検出される前記浴槽に供給された湯量との対応関係を算出する対応関係算出手段と、
所定の目標湯張り水位と該目標湯張り水位を調節するための水位補正値とに基づいて設定された補正湯張り水位に対応する目標湯張り量を、前記対応関係に基づいて決定する目標湯張り量決定手段と、
前記給湯手段により前記浴槽に前記目標湯張り量の湯を供給する自動湯張り運転を実行する湯張り制御手段と、
前記自動湯張り運転により前記目標湯張り量の湯を前記浴槽に供給したときの前記水位検出手段の検出水位と、前記目標湯張り水位との水位差を減少させるように、前記水位補正値を更新する水位補正値更新手段とを備えた給湯装置に関する。
【０００９】
そして、本発明の給湯装置は、
前記自動湯張り運転以外の要因による前記浴槽内の湯水の水位の変化を検出する水位変化検出手段を備え、
前記水位補正値更新手段は、前記自動湯張り運転の実行中に、前記水位変化検出手段により前記自動湯張り運転以外の要因による前記浴槽内の湯水の水位の変化が検出されたときには、今回の自動湯張り運転における前記水位差に基づく前記水位補正値の更新を行わないことを基本構成とする。
【００１０】
かかる基本構成によれば、例えば前記給湯装置の設置時に行われる試運転時に、前記対応関係算出手段により、前記水位検出手段により検出される前記浴槽内の湯水の水位と、前記湯量検出手段により検出される前記浴槽に供給された湯量との対応関係が算出される。そして、前記対応関係が維持されれば、目標湯張り水位に応じた目標湯張り量を前記対応関係に基づいて適切に決定することができる。しかしながら、上述した経年変化による水位センサの検出水位の変動等によって前記対応関係が算出時から変化した場合や、後述するように、前記浴槽の水平断面積が水位に応じて変化する場合には、前記対応関係に基づいて目標湯張り水位に応じた適切な目標湯張り量を求めることができない。そのため、前記水位補正値更新手段によって、前記自動湯張り運転により前記目標湯張り量の湯の供給を行ったときの前記水位検出手段の検出水位と目標湯張り水位との水位差を減少させるように、前記水位補正値を更新することが有効である。
【００１１】
ここで、前記自動湯張り運転によって、前記浴槽に前記目標湯張り量の湯が供給されているときに、前記自動湯張り運転以外の要因（使用者による浴槽への湯水の追加や浴槽からの湯の持ち出し、浴槽の排水等）によって前記浴槽内の湯の水位が変化すると、前記給湯手段により前記目標湯張り量の湯を前記浴槽に供給したときの浴槽内の湯の水位が、目標湯張り量ではなく目標湯張り量＋α（自動湯張り運転以外の要因による水位の増減分）に応じたものとなる。そして、この目標湯張り量＋αに応じた湯張り水位と前記目標湯張り水位との水位差に基づいて前記水位補正値を更新すると、不適切な水位補正値が設定されてしまう。
【００１２】
そこで、前記水位補正値更新手段は、前記自動湯張り運転により前記目標湯張り量の湯の供給を行っているときに、前記自動湯張り運転以外の要因によって前記浴槽内の湯の水位が変化したことが検出されたときには、今回の自動湯張り運転における前記水位差に基づく前記補正水位値の更新を行わない。これにより、前記目標湯張り水位に対して不適切な水位補正値が設定されることを防止することができる。
【００１３】
本発明の第１の態様は、上記基本構成に加えて、さらに、前記浴槽に所定量の湯水を供給する補水運転を行う補水手段を備え、
前記水位変化検出手段は、前記補水手段により前記補水運転が実行されたときに、前記浴槽内の湯水の水位が前記自動湯張り運転以外の要因により変化したと検出することを特徴とする。
【００１４】
この構成によれば、前記水位変化検出手段は、前記補水運転により前記浴槽に湯水が供給されることによって前記浴槽内の水位が変化したときに、この変化を前記自動湯張り運転以外の要因によるものとして検出することができる。
【００１５】
また、本発明の第２の態様は、上記基本構成に加えて、さらに、前記浴槽内の湯水の減少を検出する減水検出手段を備え、
前記水位変化検出手段は、前記減水検出手段により前記浴槽内の湯水の減少が検出されたときに、前記浴槽内の湯水の水位が前記自動湯張り運転以外の要因により変化したと検出することを特徴とする。
【００１６】
この構成によれば、例えば、使用者が前記浴槽の排水栓を外した場合や前記浴槽から湯を汲み出した場合に、前記減水検出手段により前記浴槽内の湯水の減少が検出される。そのため、前記水位変化検出手段は、前記減水検出手段により前記浴槽内の湯水の減少が検出されたときに、この湯水の減少による前記浴槽内の湯水の水位の変化を、前記自動湯張り運転以外の要因によるものとして検出することができる。
【図面の簡単な説明】
【００１７】
【図１】給湯装置の構成図。
【図２】湯張り水位の説明図。
【図３】自動湯張り運転のフローチャート。
【図４】沸き上げ及び水位補正値の更新処理のフローチャート。
【発明を実施するための形態】
【００１８】
本発明の給湯装置の実施形態について、図１〜図４を参照して説明する。図１を参照して、本実施形態の給湯装置１は、本体５及び本体５と通信ケーブル７によって接続されたリモコン６により構成されている。
【００１９】
本体５は、図示しない上水道から給水路１１に供給される水を加熱する給湯ユニット１０（本発明の給湯手段に相当する）と、浴槽２に貯められた湯水を加熱する追焚きユニット２０と、給湯装置１の全体的な作動を制御するコントローラ４０とを備えている。
【００２０】
給湯ユニット１０は、給水路１１の途中に設けられた給湯熱交換器１２と、給湯熱交換器１２を加熱する給湯バーナ１３と、給湯ユニット１０から給水路１１に供給される湯の温度を検出する給湯温度センサ１９とを備えている。給湯バーナ１３に接続されたガス供給路１５には、上流側から順に、ガス供給路１５を開閉するガス元弁１６及び給湯ガス弁１７と、給湯バーナ１３への燃料ガスの供給流量を変更する給湯流量調節弁１８とが設けられている。
【００２１】
追焚きユニット２０は、両端がアダプター６０によって浴槽２に接続された追焚き循環路２１の途中に設けられた追焚き熱交換器２２と、追焚き熱交換器２２を加熱する追焚きバーナ２３と、浴槽２内の湯水を追焚き循環路２１を介して循環させる循環ポンプ２４と、追焚き熱交換器２２の上流側の追焚き循環路２１内の湯水の温度（浴槽２内の湯水の温度）を検出する風呂温度センサ２９とを備えている。追焚きバーナ２３に接続されたガス供給路１５には、上流側から順に、ガス供給路１５を開閉する追焚きガス弁２７と、追焚きバーナ２３への燃料ガスの供給流量を変更する追焚き流量調節弁２８とが設けられている。
【００２２】
また、追焚き循環路２１には、追焚き循環路２１を流通する湯水の有無を検知する水流スイッチ２５と、浴槽２に貯められた湯水の水位を検出する水位センサ２６（本発明の水位検出手段に相当する）とが設けられている。
【００２３】
給水路１１は、給湯熱交換器１２よりも下流側の箇所で、湯張り中継路３０を介して追焚き循環路２１に接続されている。湯張り中継路３０には、湯張り中継路３０を開閉する湯張り弁３１と、給水路１１から湯張り中継路３０及び追焚き循環路２１を経由して浴槽２に供給される湯の流量を検出する流量センサ３２とが設けられている。
【００２４】
コントローラ４０は、図示しないＣＰＵ，メモリ，各種インターフェース回路等により構成された電子回路ユニットであり、メモリに保持された給湯装置１の制御用プログラムをＣＰＵで実行することによって、給湯制御手段４１、追焚き制御手段４２、湯量検出手段４３、対応関係算出手段４４、目標湯張り量決定手段４５、水位補正値更新手段４６、水位変化検出手段４７、及び減水検出手段４８として機能する。これらの手段の動作については後述する。
【００２５】
リモコン６は、給湯装置１の動作状態等を表示する表示器５０、給湯装置１の運転状態（給湯ユニット１０及び追焚きユニット２０の運転が可能な状態）と待機状態（給湯ユニット１０及び追焚きユニット２０の運転が不能な状態）への切替を指示するための運転スイッチ５１、自動湯張り運転の実行を指示するための湯張りスイッチ５２、追焚き運転の実行を指示するための追焚きスイッチ５３、給湯温度等の変更を指示するための変更スイッチ５４、及び変更スイッチ５４による変更対象の切替等を指示するためのモード切替スイッチ５５、浴槽２に所定量の湯を供給する足し湯を指示するための足し湯スイッチ５６、及び浴槽２に所定量の水の供給する足し水を指示するための足し水スイッチ５７を備えている。
【００２６】
給湯制御手段４１は、運転状態において、カラン３５の開栓等により上水道から給水路１１に水が供給されているときに、リモコン６により設定された目標給湯温度の湯がカラン３５等から出湯されるように、給湯温度センサ１９の検出温度等に基づいて給湯バーナ１３の燃焼量を調節する給湯運転を実行する。
【００２７】
また、給湯制御手段４１は、運転状態において、リモコン６の湯張りスイッチ５２が操作されたときには、自動湯張り運転を実行する。自動湯張り運転において、給湯制御手段４１は、湯張り弁３１を開弁すると共に、リモコン６により設定された目標湯張り温度の湯が、給湯ユニット１０から湯張り中継路３０及び追焚き循環路２１を経由して浴槽２に供給されるように、給湯温度センサ１９の検出温度等に基づいて、給湯バーナ１３の燃焼量を調節する。
【００２８】
湯量検出手段４３は、自動湯張り運転の実行中に、流量センサ３２により検出される流量を積算して浴槽２内の湯量を検出する。そして、給湯制御手段４１は、湯量検出手段４３により検出された湯量が、リモコン６により設定された目標湯張り水位に応じた目標湯張り量になったときに、湯張り弁３１を閉弁すると共に給湯バーナ１３の燃焼を停止して自動湯張り運転を終了する。なお、給湯制御手段４１が自動湯張り運転を実行する構成は、本発明の湯張り制御手段に相当する。
【００２９】
また、給湯制御手段４１は、リモコン６の足し湯スイッチ５６が操作されたときに、湯張り弁３１を開弁すると共に給湯バーナ１３を燃焼させて、浴槽２に一定量の湯を供給する足し湯運転（本発明の補水運転に相当する）を実行する。さらに、給湯制御手段４１は、リモコン６の足し水スイッチ５７が操作されたときに、湯張り弁３１を開弁して浴槽２に一定量の水を供給する足し水運転（本発明の補水運転に相当する）を実行する。なお、給湯制御手段４１が足し湯運転及び足し水運転を実行する構成は、本発明の補水手段に相当する。
【００３０】
追焚き制御手段４２は、リモコン６の追焚きスイッチ５３が操作されたときに、循環ポンプ２４を作動させて、浴槽２内の湯水を追焚き循環路２１を介して循環させた状態とし、追焚きバーナ２３を燃焼させることによって、浴槽２内の湯水を加熱する追焚き運転を実行する。追焚き制御手段４２は、風呂温度センサ２９の検出温度（浴槽２内の湯の温度と等しくなる）が目標湯張り温度になったときに、追焚きバーナ２３の燃焼を停止すると共に循環ポンプ２４を停止して追焚き運転を終了する。
【００３１】
対応関係算出手段４４は、給湯装置１の設置時に設置作業者によって実行される試運転において、給湯ユニット１０から浴槽２に湯供給して、水位センサ２６により検出される浴槽２内の湯の水位と、湯量検出手段４３により検出される給湯ユニット１０から浴槽２に供給された湯量との対応関係を算出する。
【００３２】
目標湯張り量決定手段４５は、リモコン６の変更スイッチ５４及びモード切替スイッチ５５の操作に応じて、図２に示したように、基準水位（アダプター６０の位置の水位）Ｌｖ０よりも５０ｍｍ高いＬｖ１からＬｖ１２まで、水位が次第に高くなる順位が付けられた１２段階の切替段のいずれかを、目標湯張り水位として選択する。
【００３３】
そして、目標湯張り量決定手段４５は、目標湯張り水位に水位補正値を加算して補正湯張り水位を求め、この補正湯張り水位を上記対応関係に適用して、補正湯張り水位に対応した湯張り量である目標湯張り量を決定する。ここで、水位補正値の初期値はゼロに設定されている。
【００３４】
減水検出手段４８は、水位センサ２６により浴槽２内に基準水位Ｌｖ０よりも高い水位まで水が貯められていることが検出された状態で、水位センサ２６による検出水位が継続して減少しているときに、浴槽２の排水栓６１が開栓されて浴槽２内の湯水が減少していると検出する。なお、減水検出手段４８を、排水栓６１の開閉状態をセンサによって直接的に検出する構成としてもよい。
【００３５】
また、減水検出手段４８は、水位センサ２６により浴槽２内に基準水位Ｌｖ０よりも高い水位まで水が貯められていることが検出された状態で、自動湯張り運転中に、水位センサ２６による検出水位が一時的に減少したときに、浴槽２から湯が持ち出されて浴槽２内の湯水が減少したと検出する。
【００３６】
水位変化検出手段４７は、給湯制御手段４１により足し湯運転又は足し水運転が実行されたとき、及び減水検出手段４８により浴槽２内の湯水が減少したことが検出されたときに、浴槽２内の湯水の水位が、自動湯張り運転以外の要因によって変化したと検出する。
【００３７】
次に、図３及び図４に示したフローチャートに従って、給湯制御手段４１による自動湯張り運転の実行手順と、水位補正値更新手段４６による水位補正値の更新処理について説明する。
【００３８】
図３は自動湯張り運転のフローチャートである。給湯制御手段４１は、ＳＴＥＰ１で、湯張り弁３１を開弁して給湯ユニット１０により浴槽２に６リットルの湯を供給する。続くＳＴＥＰ２で、給湯制御手段４１は、循環ポンプ２４を作動させて水流スイッチ２５がＯＮするか否かを判断する循環判定を行う。
【００３９】
浴槽２内に基準水位Ｌｖ０以上の湯水が貯められているときは、循環ポンプ２４の作動により、浴槽２内の湯水が追焚き循環路２１を経由して循環するため、水流スイッチ２５がＯＮする（循環判定ＯＮ）。一方、浴槽２内に基準水位Ｌｖ０以上の湯水が貯められていないときには、循環ポンプ２４が作動しても、浴槽２内の湯水が追焚き循環路２１を経由して循環しないため、水流スイッチ２５はＯＦＦになっている（循環判定ＯＦＦ）。
【００４０】
循環判定ＯＮ（浴槽２内に基準水位Ｌｖ０以上の湯水が貯められている）であるときはＳＴＥＰ１０に分岐し、給湯制御手段４１は、水位センサ２６により浴槽２内の湯水の水位（現在水位）を検知する。続くＳＴＥＰ１１で、給湯制御手段４１は、目標湯張り水位に補正水位値を加算した補正湯張り水位から現在水位を減じて両者の水位差を算出し、この水位差を上記対応関係に適用して、目標湯張り量に対する不足湯量を算出する。
【００４１】
そして、続くＳＴＥＰ１２で、給湯制御手段４１は、給湯ユニット１０から浴槽２に対して、ＳＴＥＰ１１で算出した不足湯量分の給湯を行い、図４のＳＴＥＰ１３に進む。これにより、給湯制御手段４１は、補正湯張り水位に対応した浴槽２への湯張りを行う。
【００４２】
一方、ＳＴＥＰ２で、循環判定がＯＦＦであったときにはＳＴＥＰ３に進み、給湯制御手段４１は、基準水位Ｌｖ０＋５ｃｍの水位分の湯を、給湯ユニット１０から浴槽２に供給する。そして、続くＳＴＥＰ４で循環判定を再度行い、循環判定ＯＮであったときはＳＴＥＰ１０に分岐し、循環判定ＯＦＦであったときにはＳＴＥＰ５に進む。
【００４３】
ＳＴＥＰ５で、給湯制御手段４１は、給湯ユニット１０から浴槽２に１０リットルの湯を供給する。そして続くＳＴＥＰ６で循環判定を行い、循環判定がＯＮであったときはＳＴＥＰ３０に分岐し、給湯制御手段４１は、さらに１０リットルの湯を浴槽２に供給する。次のＳＴＥＰ３１で、給湯制御手段４１は循環判定を行い、循環判定がＯＮであったときはＳＴＥＰ１０に進み、循環判定がＯＦＦであったときにはＳＴＥＰ７に分岐する。
【００４４】
ＳＴＥＰ７で、給湯制御手段４１は、ＳＴＥＰ５及びＳＴＥＰ３０における浴槽２への１０リットルずつの湯張りの積算量が５０リットル以下であるか否かを判断する。そして、積算量が５０リットル以下であるときはＳＴＥＰ５に戻る。一方、積算量が５０リットルを超えたときには、浴槽２の排水栓６１が開栓されている可能性が高く、この場合には浴槽２に湯を張ることができない。そこでＳＴＥＰ８に進み、給湯制御手段４１は、自動湯張り運転を中止して、リモコン６の表示器５０にエラー表示をすると共にブザー（図示しない）を鳴動させるエラー処理を行う。
【００４５】
図４のＳＴＥＰ１３及びＳＴＥＰ２０〜ＳＴＥＰ２１は、浴槽２内の湯の温度が、リモコン６により設定された目標湯張り温度よりも低いときに、浴槽２内の湯を目標湯張り温度まで沸き上げる処理である。給湯制御手段４１は、ＳＴＥＰ１３で風呂温度センサ２９により検出される浴槽２内の湯の温度が目標湯張り温度以上であるか否かを判断する。
【００４６】
そして、浴槽２内の湯の温度が目標湯張り温度以上であるときはＳＴＥＰ１４に進み、浴槽２内の湯の温度が目標湯張り温度よりも低いときにはＳＴＥＰ２０に分岐する。ＳＴＥＰ２０〜ＳＴＥＰ２１は、追焚き制御手段４２による処理である。追焚き制御手段４２は、ＳＴＥＰ２１で浴槽２内の湯の温度が目標湯張り温度以上となるまで、ＳＴＥＰ２０で、循環ポンプ２４を作動させると共に追焚きバーナ２３を燃焼させて、追焚き循環路２１を経由して循環される浴槽２内の湯を加熱する追焚き運転を実行する。そして、風呂温度が目標湯張り温度以上になったときに、追焚き運転を終了してＳＴＥＰ１４に進む。
【００４７】
ＳＴＥＰ１４〜ＳＴＥＰ１６は、水位補正値更新手段４６による処理である。水位補正値更新手段４６は、ＳＴＥＰ１４で、自動湯張り運転中に、水位変化検出手段４７によって、自動湯張り運転以外の要因による浴槽２内の湯の水位の変化が検出されたか否かを判断する。
【００４８】
そして、水位変化検出手段４７により浴槽２内の湯の水位の変化が検出されなかったときは、浴槽２内の湯の水位は、補正湯張り水位を上記対応関係に適用して設定した目標湯張り量に対応したものとなっている。そこで、続くＳＴＥＰ１５において、水位補正値更新手段４６は、水位センサ２６により検出されている現在の浴槽２内の湯の水位（現在水位、自動湯張り運転終了時の水位）が、目標湯張り水位から１０ｍｍ低い水位閾値よりも低いか否かを判断する。
【００４９】
そして、現在水位が水位閾値よりも低いとき（目標湯張り水位に対して、自動湯張り運転により浴槽２に供給された湯の水位の不足度合が大きいとき）は、ＳＴＥＰ１６に進み、水位補正値更新手段４６は、現在水位と目標湯張り水位との水位差を減少させるために、以下の式（１）によって、水位補正値ΔＨを更新してＳＴＥＰ１７に進み、水位補正値更新手段４６は処理を終了する。
【００５０】
ΔＨ（ｔ）＝ΔＨ（ｔ−１）＋（Ｈａ−Ｈｓ）／２ ・・・・・（１）
但し、ΔＨ（ｔ）：更新後の水位補正値、ΔＨ（ｔ−１）：更新前の水位補正値、Ｈａ：目標湯張り水位、Ｈｓ：自動湯張り運転終了時の湯張り水位）。
【００５１】
なお、上記式（１）の右辺の第２項（（Ｈａ−Ｈｓ）／２）は、現在水位と目標湯張り水位との水位差を減少させる値であればよく、固定値でもよい。
【００５２】
一方、現在水位が水位閾値以上であるとき（目標湯張り水位に対して、自動湯張り運転により浴槽２に供給された湯の水位の不足度合が小さいとき）には、水位補正値を更新する必要がないため、ＳＴＥＰ１４からＳＴＥＰ１７に分岐して水位補正値更新手段４６は処理を終了する。
【００５３】
また、ＳＴＥＰ１４で、水位変化検出手段４７により、自動湯張り運転以外の要因による浴槽２内の湯の水位の変化が検出されたときは、浴槽２内の湯の水位は、補正湯張り水位を上記対応関係に適用して設定した目標湯張り量に対応したものになっていない。そして、この場合に、上記式（１）によって水位補正値を更新すると、不適切な水位補正値が設定されてしまう。
【００５４】
そのため、この場合はＳＴＥＰ１７に分岐して処理を終了し、水位補正値更新手段４６は、今回の自動湯張り運転の終了時の水位と目標湯張り水位との水位差に基づく水位補正値の更新を行わない。これにより、目標湯張り水位に対して、不適切な水位補正値が設定されることを防止することができる。
【００５５】
なお、本実施形態では、本発明の給湯手段として、給水路１１を流通する水を給湯熱交換器１２により加熱する連続フロー式の給湯ユニット１０を示したが、貯湯式等の他の構成による給湯手段を用いてもよい。
【符号の説明】
【００５６】
１…給湯装置、２…浴槽、１０…給湯ユニット（給湯手段）、４０…コントローラ、４１…給湯制御手段（湯張り制御手段、補水手段）、４２…追焚き制御手段、４３…湯量検出手段、４４…対応関係算出手段、４５…目標湯張り量決定手段、４６…水位補正値更新手段、４７…水位変化検出手段、４８…減水検出手段。
【図１】
0006284867.tif 000002
【図２】
0006284867.tif 000003
【図３】
0006284867.tif 000004
【図４】
0006284867.tif 000005